(57)【要約】      （修正有）【課題】１０μ厚以下の極薄の合成樹脂フィルムを用いても簡単に破れたりすることなくして長期に亘って安定して使用することのできる薄型ファイルのポケット強化構造を提供する。【解決手段】ポリプロピレン等の合成樹脂フィルムを用いて中間の折り目を挟んで左右に横差し入れ形または縦差し入れ形のポケット４を熱シール形成するようにした薄型ファイルにおいて、熱シール２ａ，２ｂを一定幅以上の幅のある帯状にて形成し、または線状と帯状の２本以上にて形成して各ポケット４の熱シール部分を強化するようにした。【選択図】図１
0003143860.tif 000002
【実用新案登録請求の範囲】
【請求項１】
ポリプロピレン等の合成樹脂フィルムを用いて中間の折り目を挟んで左右に横差し入れ形または縦差し入れ形のポケットを熱シール形成するようにした薄型ファイルにおいて、熱シールを一定幅以上の幅のある帯状にて形成し、または線状と帯状の２本以上にて形成して該各ポケットの熱シール部分を強化するようにしたことを特徴とする薄型ファイルのポケット強化構造。
【請求項２】
１０μ以下の薄いポケットを強化する請求項１に記載の薄型ファイルのポケット強化構造。
【考案の詳細な説明】
【技術分野】
【０００１】
本考案は薄型ファイルのポケット強化構造に関するものである。
【背景技術】
【０００２】
この種のファイルとしては特開平５−２６２０８９号公報がある。該公報は３頁の００２０の項にて、前記シーリング装置１３においては、前記フィルム２ａ，２ｂ及び芯材４の長尺物は間欠送り、間欠的停止時に溶断刃１４によって長手方向に所定間隔を置いて幅方向に溶断溶着され、これにより形成されたファイリング用袋状シート１５が順次載置台１６の上に積層される。ということを記載している。
【特許文献１】特開平５−２６２０８９号公報
【考案の開示】
【考案が解決しようとする課題】
【０００３】
しかしながら、この記載によれば溶断刃１４による溶断溶着によって熱シール部は著しく細い線状にとどまるために短時間のうちに破れてポケット機能を失うという課題がある。
殊に１０μ以下に薄いポケットにおいて顕著であるという課題があった。
【課題を解決するための手段】
【０００４】
本考案は、ポケットを形成する熱シールを一定幅以上の幅のある帯状とし、または帯状と線状の２本以上にて形成して熱シール部分を強化して、かかる課題を解決するようにしたのである。
【考案の効果】
【０００５】
薄型ファイルのポケットを一定幅以上の幅のある帯状の熱シールまたは帯状と線状の２本以上にて形成するようにしたので、各ポケットは破れることがなくなって、長期に亘って安定して使用し続けることができるという効果を生ずる。
【０００６】
１０μ以下に極く薄いポケットを強化することができるという効果を生ずる。
【考案を実施するための最良の形態】
【０００７】
本考案は、ポリプロピレン等の合成樹脂フィルムを用いて中間の折り目を挟んで左右に横差し込み形または縦差し込み形のポケットを熱シール形成するようにした薄型ファイルにおいて、熱シールを一定幅以上の幅のある帯状にて形成して、または２本以上にて形成して、該各ポケットの熱シール部分を強化するようにしたのである。
【実施例１】
【０００８】
図１は第１実施例を示すもので、（ａ）に示すように１０μ以下の薄いポリプロピレンのフィルム１の左右両側を中間点近くまで折返し重ねして、（ｂ）に示すように上下の縁辺１ａ，１ｂを幅２ｍｍの帯状にて熱シール２ａ，２ｂして、中間側を出入口３，３とする横差し入れ形とするポケット４を形成するのである。ポケット４を形成したフィルム１は数枚から十数枚を重ねてやや大きい表紙材５の内面上に載せて中間の折り目６にてウェルダー溶着７して以って折り開き可能な表紙付の薄型ファイル８とするのである。
【０００９】
各ポケット４は縁辺１ａ，１ｂを広幅２ｍｍの熱シール２ａ，２ｂにて溶着形成するので、熱シール２ａ，２ｂ部分は著しく強化されて、１０μ以下の薄いファイル８も、各ポケット４は出入口３の開口時の開き圧、収納紙Ｐ等の出し入れを繰返しても破れることがなくなり、長期に亘って安定して使用することができるものとなる。熱シール２ａ，２ｂの幅は２.５ｍｍ，３ｍｍ、または１.５ｍｍ，１ｍｍなどのようにフィルムの厚薄に応じて幅をかえて、ファイル８のポケット４を強化するのである。
なお、熱シール２ａ，２ｂはウェルダーにて形成するも溶着のみであって溶断工程はない。
【実施例２】
【００１０】
図２は前記した帯状の各熱シール２ａ，２ｂの外側に線状の熱シール２ｃ，２ｃを形成して、計２本の熱シールにして、熱シール部分をさらに強化するようにした実施例を示すものである。かくすることにより一方の熱シールが破れるときも他方の熱シールが後備えとなってポケット４は引続き機能し続けるものとなる。
【実施例３】
【００１１】
図３は出入口３ａを上辺とする縦差し入れ形のポケット４ａの形成例を示すもので、合成樹脂フィルム１の左右両側を内折り返しして下の縁辺１ｂと内側端縁１ｃにつながるＬ形において帯状の熱シール２ｂ，２ｄを形成し、または前例のように帯状の熱シールと線状の熱シールの２本以上に熱シールしてポケット４ａを強化している。
【実施例４】
【００１２】
図４は区分シート９を挟んで左右両側の表裏両面にポケット４ｂを形成した実施例を示すものである。熱シール可能な有色または透明の区分シート９と該区分シート９を中間部を除いた両側をポケット形成用のフィルム１ｄ，１ｅの２つ折りにて挟み、合わせて３枚重ねにして熱シール２ａ，２ｂするようにしたほかは前例に同じである。実施例３と同様に縦差し入れ形のポケットに形成することもできる。
【００１３】
なお以上の各実施例はＡ４サイズの紙葉Ｐを差し込み収納する大きさのものを示しているが、Ｂ５サイズその他の各サイズ、また横長形としたり、区分け用の熱シール（図示してない）を設けて、半分大きさ等の紙葉Ｐを区分けして収納するようにすることもできる。
【産業上の利用可能性】
【００１４】
本考案は、合成樹脂フィルムを熱シールしてポケットを形成するようにした薄型ファイル、特に１０μ以下に薄いフィルムを用いたポケットの熱シール部分を強化する補強構造として広く利用することができるものとなる。
【図面の簡単な説明】
【００１５】
【図１】（ａ）はフィルムの左右両側を返し折りする状態を示す斜視図、（ｂ）は上下の縁辺に帯状の熱シールをして横差し入れ形のポケットを形成した斜視図
【図２】（ａ）は同、数枚のポケットと表紙材を重ねて中間の折り目をウェルダー溶着して形成した薄型ファイルの平面図、（ｂ）は収納紙を差し入れを示す平面図
【図３】帯状の熱シールと線状の熱シールを形成した第２実施例を示す部分拡大平面図
【図４】縦差し入れ形のポケットの形成例を示す薄型ファイルの平面図
【図５】区分シートを挟んで左右両側の表裏両面に横差し入れ形のポケットを形成する例を示すもので、（ａ）は部材別の側面図、（ｂ）は熱シールした後の平面図
【符号の説明】
【００１６】
１，１ｄ，１ｅはポケット形成用の合成樹脂フィルム
１ａ，１ｂは上下の縁辺
１ｃは内側端縁
２ａ，２ｂ，２ｄは帯状の熱シール
２ｃは線状の熱シール
３，３ａは出入口
４，４ａ，４ｂはポケット
５は表紙材
６は折り目
７はウェルダー溶着
８は薄型ファイル
９は区分シート
Ｐは収納紙
【図１】
0003143860.tif 000003
【図２】
0003143860.tif 000004
【図３】
0003143860.tif 000005
【図４】
0003143860.tif 000006
【図５】
0003143860.tif 000007